(57)【要約】【課題】髪の毛、繊維屑、その他ゴミ等の塵屑を確実に捕捉し、しかも取り除き易い構造の洗面ボール等の排水口に用いられるへアキャッチャーを実現する。【解決手段】排水口に引っ掛け可能な円環部５を備えた円状体２と、上部に摘み部１２を備え円状体２に挿通される軸部１０と、軸部１０の上部に固定される捕集部３とを備え、捕集部３は複数の桟１５を備え、軸部１０の周囲の、桟との接続部位に円筒カバー１６を備え、捕集部３が円状体２に載置されたときは、複数の桟１５が開いて髪の毛２１、塵屑等の捕集状態となり、捕集部３が軸部１０とともに持ち上げられたときは、複数の桟１５が閉じて髪の毛２１、塵屑等の除去状態となる。【選択図】図３
2009257044.tif 000002
【特許請求の範囲】
【請求項１】
排水口に引っ掛け可能な円環部を備えた円状体と、円状体に挿通される軸部と、軸部の上部に固定される捕集部とを備えたへアキャッチャーであって、捕集部が複数の桟を備え、捕集部が円状体に載置されたときは、複数の桟が開いて塵屑の捕集状態となり、捕集部が軸部とともに持ち上げられたときは、複数の桟が閉じて塵屑の除去状態となることを特徴とするへアキャッチャー。
【請求項２】
請求項１記載のへアキャッチャーであって、軸部の上部に摘み部を備えていることを特徴とするへアキャッチャー。
【請求項３】
請求項１または２記載のへアキャッチャーであって、軸部の周囲の、桟との接続部位にカバー材を備えていることを特徴とするへアキャッチャー。
【請求項４】
請求項３記載のへアキャッチャーであって、カバー材に桟の動きを規制する切欠きが形成されていることを特徴とするへアキャッチャー。
【請求項５】
請求項１から４のいずれかに記載のへアキャッチャーであって、桟の先端に、上方に向かう鈎型部が形成されていることを特徴とするへアキャッチャー。
【発明の詳細な説明】
【技術分野】
【０００１】
本発明は、洗面ボール等の排水口に用いられるへアキャッチャーに関し、特に、髪の毛、繊維屑、その他ゴミ等の塵屑を確実に捕捉し、しかも取り除き易い構造のへアキャッチャーに関する。
【背景技術】
【０００２】
従来、排水口用のへアキャッチャーにおいて、軸に２つのへアキャッチャー本体を上下に設けたものが公知である（特許文献１参照）。
【０００３】
図５は、従来の排水口用のへアキャッチャーの一例を示す斜視図である。この従来のへアキャッチャーは、その軸２２に２つのへアキャッチャー２３、２４を上下に設けた構成のものであり、へアキャッチャーの頭部２５から下方に延びる軸２２の上部には、底の浅いヘアキャッチャー２３が取り付けられており、軸２２の下部に錐状に傾斜した別のヘアキャッチャー２４が取り付けられて成る。
【０００４】
また、排水栓用のへアキャッチャーにおいて、軸に２つのリング体を螺着し、回転により、リング体の放射状捕集リブのへアキャッチャー率や排水効率を変更し得るようにしたものが公知である（特許文献２参照）。
【０００５】
また、排水口用のへアキャッチャーにおいて、放射状捕集リブを軸の方向に向かって低くなるように錐状に傾斜して形成したものが公知である（特許文献３参照）。排水栓用のへアキャッチャーにおいて、放射状の桟を屈曲させたものが公知である（特許文献４参照）。
【０００６】
ところで、従来の排水口用のへアキャッチャーは、次のような問題がある。例えば、図５において、軸２２に上下２つのヘアキャッチャー２３、２４が設けられており、髪の毛、繊維屑、その他のゴミ等をより確実に捕捉する構成となっている。しかし、軸２２に対してヘアキャッチャー２３、２４が固定されているために、排水栓を清掃する際に、ヘアキャッチャーから捕集された髪の毛、繊維屑、その他のゴミ等を取り除きにくいという問題がある。
【０００７】
そこで、本願出願人は、排水口に引っ掛け可能な円環体を備えた円状体と、円状体の中央部に挿通される軸部と、軸部の上部に固定される捕集体とを備えたへアキャッチャーであって、円状体が軸部の下部と捕集体の間を上下方向に移動可能であるヘアキャッチャーに係る発明を提案していた（特願２００７−１１３１８４参照）。
【０００８】
【特許文献１】特開２００５−０７４０４０号公報
【特許文献２】特開２００６−０６３５１６号公報
【特許文献３】特開２００５−３０７６１６号公報
【特許文献４】実開平０７−０２５０６４号公報
【発明の開示】
【発明が解決しようとする課題】
【０００９】
上記本出願人が提案した発明では、円状体に対して捕集体を軸部に沿って上下方向に移動可能とすることで、髪の毛等を取り除き易く改良した構成であるが、捕集体は上下方向の移動のみであり、髪の毛等を取り除き易くするという点でさらに改良の余地がある。本願発明は、さらに髪の毛、繊維屑、その他のゴミ等の塵屑を取り除き易くする構造のへアキャッチャーを実現することを課題とするものである。
【課題を解決するための手段】
【００１０】
本発明は上記課題を解決するために、排水口に引っ掛け可能な円環部を備えた円状体と、円状体に挿通される軸部と、軸部の上部に固定される捕集部とを備えたへアキャッチャーであって、捕集部が複数の桟を備え、捕集部が円状体に載置されたときは、複数の桟が開いて塵屑の捕集状態となり、捕集部が軸部とともに持ち上げられたときは、複数の桟が閉じて塵屑の除去状態となることを特徴とするへアキャッチャーを提供する。
【００１１】
軸部の上部に摘み部を備えている構成とすることが好ましい。
【００１２】
軸部の周囲の、桟との接続部位にカバー材を備えている構成とすることが好ましい。
【００１３】
カバー材に桟の動きを規制する切欠きが形成されている構成とすることが好ましい。
【００１４】
桟の先端に、上方に向かう鈎型部が形成されている構成とすることが好ましい。
【発明の効果】
【００１５】
本発明のへアキャッチャーによれば、捕集部が円状体に載置されたときは、複数の桟が開いて塵屑の捕集状態となり、捕集部が軸部とともに持ち上げられたときは、複数の桟が閉じて塵屑の除去状態となる構成であるから、髪の毛、繊維屑、その他ゴミ等の塵屑を取り除き易いという効果が生じる。
【発明を実施するための最良の形態】
【００１６】
本発明に係るへアキャッチャーを実施するための最良の形態を実施例に基づき図面を参照して、以下説明する。
【実施例１】
【００１７】
本発明に係るへアキャッチャーの実施例１を、図１〜３において説明する。本発明に係るへアキャッチャー１は、図１（ａ）に示すように、円状体２と捕集体３とを備えている。
【００１８】
円状体２は、本体である円筒部４と、円環部５と、捕集受け部６とを備えている。円環部５は、円筒部４の上端に円筒部４から径方向外側にフランジ状に張り出すように形成されている。円状体２を、使用対象である洗面ボール等の排水口に挿入して、円環部５を排水口の上縁に掛けることで、円状体２を排水口に装着できる。
【００１９】
捕集受け部６は、円筒部４の直径方向に伸びる支持杆７と、支持杆７の上面に水平に固定された１又は複数の捕集リング８とから成る。支持杆７の中央部には、軸孔９が形成されている。なお、円状体２は、金属材（例．鋼、アルミ等）又は樹脂材などで形成される。
【００２０】
捕集体３は、軸部１０と、軸部１０の上部に設けられた捕集部１１と、軸部１０の上端に固定された摘み部１２とを備えている。軸部１０は、円状体２の軸孔９に上下方向に摺動可能に挿通されるように形成されている。
【００２１】
捕集部１１は、図２に示すように、摘み部１２の下面に下方に伸びるように固定された吊持杆１３（図２（ａ）、（ｄ）参照）と、この吊持杆１３によって水平に支持された支持リング１４（図２（ａ）、（ｄ）参照）と、支持リング１４に基端部が回動可能に支持される複数の桟１５（図２（ｂ）、（ｄ）参照）と、摘み部１２の下方に取り付けられる円筒カバー１６（図２（ｃ）、（ｄ）参照）とを備えている。
【００２２】
複数の桟１５は、互いに支持リング１４の周方向に間隔をおいて、図１（ａ）、（ｂ）に示すように、軸部１０を中心として放射方向に伸びるように（タコ足状に）配置されている。桟１５の基端部には、図２（ｂ）に示すように、支持リング１４が嵌合可能な湾曲凹部を有する嵌合部１７が形成されている。桟１５は、樹脂材やゴム材等の可撓性の材料で形成されていることが好ましい。桟１５の先端には、上方に、への字型に向かう鈎型部１８が形成されており、髪の毛等の塵屑が引っ掛かりやすい形態となっている。
【００２３】
円筒カバー１６は、軸部１０の周囲における支持リング１４と桟１５との接続部位をカバーするカバー材として機能し、この接続部位に髪の毛等が絡まることを抑制している。この円筒カバー１６の下端には、複数の桟１５の取り付け位置に対応して、図２（ｃ）に示すように、複数の切り欠き１９が形成されている。この円筒カバー１６は、軸部１０を中心にして、摘み部１２の下面に取り付ける。具体的には、円筒カバー１６の上端に形成された耳部２０（フランジでもよい。）を、摘み部１２の下面にねじ止め又は接着剤などで固定する。
【００２４】
図２（ｄ）は、１つの桟１５を支持リング１４に回転可能に嵌合した状態を説明する図である。この図２（ｄ）の桟１５と同様に、複数の桟１５は、それぞれ嵌合部１７を支持リング１４に回転可能に嵌合し、また桟１５の根元部が切り欠き１９に嵌合するように取り付けられている。
【００２５】
このような構成により、複数の桟１５は、それぞれ支持リング１４を中心に上下方向に振れるように回動し、上方向への回動は、桟１５が切り欠き１９の上面で規制されるように構成されている。加えて、桟１５は、可撓性の材料で形成した場合は、撓んで変形可能である。
【００２６】
へアキャッチャー１の組み立てに際しては、円状体２の軸孔９に、捕集体３の軸部１０を上方から挿入し、捕集体３を円状体２に対して下方に移動させる。すると、複数の桟１５は、その先端の鈎型部１８が捕集リング８に当接して回動し、図１（ｂ）に示すように、捕集リング８上で放射状にほぼ水平に拡がった状態に組み立てられる。
【００２７】
（作用）
上記構成から成るへアキャッチャー１の作用を説明する。へアキャッチャー１の使用に際しては、へアキャッチャー１を図３（ａ）の状態にして、円状体２を洗面ボール等の排水口に挿入し、円環部５を排水口の上縁に掛けることで、へアキャッチャー１を排水口に装着し、捕集状態となる。
【００２８】
この捕集状態では、複数の桟１５は、捕集リング８上で放射状にほぼ水平に拡がった状態（タコ足状に拡がった状態）となっており、これにより、髪の毛２１、繊維屑、ゴミ屑等を捕捉することが可能である。
【００２９】
へアキャッチャー１に捕捉された髪の毛２１、繊維屑、ゴミ屑等を取り除く場合には、図３（ｂ）に示すように、捕集体３を上方に持ち上げ、図３（ｃ）に示すように、軸孔９から軸部１０を引き抜く。すると、複数の放射状の桟１５は、下方に可動し垂れ下がった除去状態となる。この除去状態では、桟１５に絡んだ髪の毛２１、繊維屑、ゴミ屑等取り除き易くなる。
【００３０】
そして、図３（ｄ）に示すように、捕集体３を逆さにすると、複数の桟１５は、逆方向に回動し放射方向に拡がった状態となり、カバーの切り欠き１９により規制されて、一定の角度で桟１５の回動は停止する。この状態では、捕捉された髪の毛２１、繊維屑、ゴミ屑等は、下方に落下し、また、複数の桟１５は、拡がっているから除去しやすくなる。
【実施例２】
【００３１】
図４は、本発明に係るへアキャッチャーの実施例２を説明する図である。この実施例２のヘアキャッチャー１’は、実施例１と殆ど同じ構成であるが、複数の放射状の桟１５’の構成が異なる。この放射状の桟１５’の構成を中心に実施例２について以下、説明する。なお、図４では、実施例１と同じ構成の部分については同じ符号を付し、その説明は省略し、異なる構成の部分については、異なる符号を付すものとする。
【００３２】
実施例１のへアキャッチャー１は、複数の放射状の桟１５は、それぞれその先端に上方に向かう鈎型部１８が形成されている。しかし、実施例２のへアキャッチャー１’の複数の放射状の桟１５’は、それぞれ実施例１と同様に上端が支持リング８で支持され、図４（ａ）に示すように、下方に向けて若干放射方向に拡がっているが、鈎型部が形成されていない。
【００３３】
実施例２のへアキャッチャー１’は、実施例１と同様に、へアキャッチャー１’を排水口に装着し、複数の桟１５’を、図４（ｂ）に示すように、捕集リング８上で放射状にほぼ水平に拡がった捕集状態（タコ足状に拡がった状態）とすることで、髪の毛２１、繊維屑、ゴミ屑等を捕捉することが可能である。
【００３４】
へアキャッチャーに捕捉された髪の毛２１、繊維屑、ゴミ屑等を取り除く場合には、図４（ｃ）に示すように、捕集体３’を上方に持ち上げる。また、軸孔９から軸部１０を引き抜き、上下逆にすると、複数の放射状の桟１５’は、下方に可動し垂れ下がった除去状態となる。この除去状態では、桟に絡んだ髪の毛２１、繊維屑、ゴミ屑等取り除き易くなる。
【００３５】
以上、本発明に係るへアキャッチャーを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３６】
本発明に係るへアキャッチャーは上記のような構成であるから、洗面ボール等の排水口だけでなく、浴室、浴槽、流し等の排水口にも適用可能である。
【図面の簡単な説明】
【００３７】
【図１】本発明に係るへアキャッチャーの実施例１を説明する図であり、（ａ）はへアキャッチャーを円状体と捕集体に分離した状態の斜視図を示し、（ｂ）は円状体と捕集体を組み立てた状態を示す斜視図である。
【図２】実施例１の捕集体の分解した状態を示す斜視図であり、（ａ）は円筒カバー及び桟をはずした状態を示し、（ｂ）は桟を示し、（ｃ）は円筒カバーを示し、（ｄ）は１つの桟を支持リングに嵌合した状態を示す。
【図３】（ａ）〜（ｄ）は実施例１のへアキャッチャーの使用状態を説明するための斜視図である。
【図４】本発明に係るへアキャッチャーの実施例２を説明する図であり、（ａ）はへアキャッチャーを円状体と捕集体に分離した状態の斜視図を示し、（ｂ）は円状体と捕集体を組み立てた状態を示す斜視図を示し、（ｃ）は実施例２のへアキャッチャーの使用状態を説明するための斜視図である。
【図５】従来のへアキャッチャーの一例を示す斜視図である。
【符号の説明】
【００３８】
１、１’  へアキャッチャー                 
２  円状体                           
３、３’  捕集体                           
４  円筒部                           
５  円環部             
６  捕集受け部                       
７  支持杆                           
８  捕集リング                       
９  軸孔                             
１０  軸部                           
１１  捕集部                         
１２  摘み部                         
１３  吊持杆                         
１４  支持リング                     
１５、１５’  桟                             
１６  円筒カバー                     
１７  嵌合部                         
１８  鈎型部                         
１９  円筒カバーの切り欠き           
２０  耳部                           
２１  髪の毛 
２２  従来例のへアキャッチャーの軸
２３、２４  従来例のへアキャッチャー
２５  従来例のへアキャッチャーの頭部
【図１】
2009257044.tif 000003
【図２】
2009257044.tif 000004
【図３】
2009257044.tif 000005
【図４】
2009257044.tif 000006
【図５】
2009257044.tif 000007